(57)【要約】【課題】優れた信頼性を有するラミネート型蓄電素子を提供する。【解決手段】ラミネート型蓄電素子１は、素子本体１０と、フィルム状の外装体２０とを備える。外装体２０は、第１の主壁部２１と、第２の主壁部２２と、接続部２３とを有する。第２の主壁部２２は、第１の主壁部２１と対向している。接続部２３は、第１の主壁部２１の第１の方向における一方側端部と、第２の主壁部２２の第１の方向における一方側端部とを接続している。第１の主壁部２１と第２の主壁部２２とは、第１の方向における他方側端部、及び第２の方向における両端部において互いに接合されている。第１の主壁部２１と第２の主壁部２２との第２の方向における両端部は、それぞれ、第１の主壁部２１側に折り曲げられて折り曲げ部２４，２５を構成している。折り曲げ部２４，２５の第１の方向の一方側端部には、切欠が設けられている。【選択図】図１
2014063787.tif 000002
【特許請求の範囲】
【請求項１】
素子本体と、
前記素子本体が封入されたフィルム状の外装体と、
を備え、
前記外装体は、
第１の主壁部と、
前記第１の主壁部と対向している第２の主壁部と、
前記第１の主壁部の第１の方向における一方側端部と、前記第２の主壁部の前記第１の方向における一方側端部とを接続している接続部と、
を有し、
前記第１の主壁部と前記第２の主壁部とは、前記第１の方向における他方側端部、及び第２の方向における両端部において互いに接合されており、
前記第１の主壁部と前記第２の主壁部との前記第２の方向における両端部は、それぞれ、第１の主壁部側に折り曲げられて折り曲げ部を構成しており、
前記折り曲げ部の前記第１の方向の一方側端部には、切欠が設けられている、ラミネート型蓄電素子。
【請求項２】
前記折り曲げ部の前記第１の方向の一方側端部の端辺が前記第１及び第２の方向に対して傾斜した方向に伸びるように、前記切欠が設けられている、請求項１に記載のラミネート型蓄電素子。
【請求項３】
前記外装体は、内部に金属層を含む樹脂フィルムにより構成されている、請求項１または２に記載のラミネート型蓄電素子。
【発明の詳細な説明】
【技術分野】
【０００１】
本発明は、ラミネート型蓄電素子に関する。
【背景技術】
【０００２】
従来、携帯電話機などの種々の電子機器にラミネート型蓄電素子が広く用いられている。特許文献１には、その一例が記載されている。特許文献１に記載のラミネート型蓄電素子は、素子本体が封入された外装体を備える。外装体は、周辺領域同士が接着された対向する一対のフィルムにより構成されている。外装体の幅方向両端部は、折り曲げられている。
【先行技術文献】
【特許文献】
【０００３】
【特許文献１】特開２０１２−３３５６３号公報
【発明の概要】
【発明が解決しようとする課題】
【０００４】
ラミネート型蓄電素子の信頼性をさらに向上したいという要望がある。
【０００５】
本発明の主な目的は、優れた信頼性を有するラミネート型蓄電素子を提供することである。
【課題を解決するための手段】
【０００６】
本発明に係るラミネート型蓄電素子は、素子本体と、フィルム状の外装体とを備える。外装体には、素子本体が封入されている。外装体は、第１の主壁部と、第２の主壁部と、接続部とを有する。第２の主壁部は、第１の主壁部と対向している。接続部は、第１の主壁部の第１の方向における一方側端部と、第２の主壁部の第１の方向における一方側端部とを接続している。第１の主壁部と第２の主壁部とは、第１の方向における他方側端部、及び第２の方向における両端部において互いに接合されている。第１の主壁部と第２の主壁部との第２の方向における両端部は、それぞれ、第１の主壁部側に折り曲げられて折り曲げ部を構成している。折り曲げ部の第１の方向の一方側端部には、切欠が設けられている。
【０００７】
本発明に係るラミネート型蓄電素子のある特定の局面では、折り曲げ部の第１の方向の一方側端部の端辺が第１及び第２の方向に対して傾斜した方向に伸びるように、切欠が設けられている。
【０００８】
本発明に係るラミネート型蓄電素子の他の特定の局面では、外装体は、内部に金属層を含む樹脂フィルムにより構成されている。
【発明の効果】
【０００９】
本発明によれば、優れた信頼性を有するラミネート型蓄電素子を提供することができる。
【図面の簡単な説明】
【００１０】
【図１】第１の実施形態に係るラミネート型蓄電素子の略図的平面図である。
【図２】図１の線ＩＩ−ＩＩ部分の略図的断面図である。
【図３】図１の線ＩＩＩ−ＩＩＩ部分の略図的断面図である。
【図４】第１の実施形態における外装体の略図的展開図である。
【図５】第１の実施形態における第１及び第２の被接合部を折り曲げる前のラミネート型蓄電素子の略図的平面図である。
【図６】第２の実施形態に係るラミネート型蓄電素子の略図的平面図である。
【図７】第２の実施形態における第１及び第２の被接合部を折り曲げる前のラミネート型蓄電素子の略図的平面図である。
【発明を実施するための形態】
【００１１】
以下、本発明を実施した好ましい形態の一例について説明する。但し、下記の実施形態は、単なる例示である。本発明は、下記の実施形態に何ら限定されない。
【００１２】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１３】
（第１の実施形態）
図１は、第１の実施形態に係るラミネート型蓄電素子の略図的平面図である。図２は、図１の線ＩＩ−ＩＩ部分の略図的断面図である。図３は、図１の線ＩＩＩ−ＩＩＩ部分の略図的断面図である。図４は、第１の実施形態における外装体の略図的展開図である。図５は、第１の実施形態における第１及び第２の被接合部を折り曲げる前のラミネート型蓄電素子の略図的平面図である。
【００１４】
図１〜図３に示されるラミネート型蓄電素子１は、例えば、電気二重層コンデンサや二次電池などである。ラミネート型蓄電素子１は、蓄電機能を有する素子本体１０と、外装体２０とを備えている。素子本体１０は、外装体２０内に封入されている。
【００１５】
外装体２０は、フィルム状である。図４に示されるように、外装体２０は、一枚のフィルムにより構成されている。外装体２０は、単層の樹脂フィルムにより構成されていてもよいが、アルミニウム層やステンレス層などの金属層を内部に含む、ポリエチレン、ポリプロピレンなどからなる樹脂フィルムにより構成されていることが好ましい。この場合、外装体２０内への水分やガスの侵入を抑制できるためである。なお、外装体２０の厚みは、例えば、５０μｍ〜３００μｍ程度とすることができる。
【００１６】
外装体２０は、第１の主壁部２１と、第２の主壁部２２とを有する。第１の主壁部２１と第２の主壁部２２とは、素子本体１０を介して対向している。第１の主壁部２１のｘ軸方向のｘ１側端部と、第２の主壁部２２のｘ軸方向のｘ２側端部とは、接続部２３によって接続されている。なお、本実施形態では、第１の主壁部２１と第２の主壁部２２と接続部２３とは、一体に設けられている。すなわち、一枚のシート状部材が折り曲げられることによって、第１及び第２の主壁部２１，２２並びに接続部２３が設けられている。
【００１７】
図２、３に示されるように、第１の主壁部２１と第２の主壁部２２とは、少なくとも、ｘ軸方向のｘ２側端部、並びにｙ軸方向のｙ１側端部及びｙ２側端部において互いに接合されている。本実施形態では、第１の主壁部２１と第２の主壁部２２とが、全周にわたって接合されている。より具体的には、本実施形態では、第１の主壁部２１と第２の主壁部２２とが、全周にわたって熱圧着されている。これにより、外装体２０に素子本体１０を収容するための内部空間が区画形成されている。なお、第１の主壁部２１と第２の主壁部２２との接合方法は、熱圧着法に特に限定されない。例えば、接着剤を用いて接合してもよい。
【００１８】
図３に示されるように、第１の主壁部２１と第２の主壁部２２とのｙ軸方向における両端部は、それぞれ、第１の主壁部２１側に折り曲げられて折り曲げ部２４，２５を構成している。
【００１９】
ところで、第１及び第２の主壁部の折り曲げ部を、ｘ軸方向の一方側端部から他方側端部までの全体にわたって同様に設けた場合、ｘ軸方向の一方側端部において、折り曲げ部と接続部とが重なり、この部分に応力が集中しやすい。よって、外装体にクラックが生じやすい。
【００２０】
それに対してラミネート型蓄電素子１では、折り曲げ部２４，２５のｘ軸方向のｘ１側端部に、切欠が設けられている。具体的には、図１及び図５に示されるように、本実施形態では、折り曲げ部２４，２５のｘ１側端部がｘ軸方向及びｙ軸方向のそれぞれに対して斜めに切欠かれている。このため、折り曲げ部２４，２５と接続部２３とが厚み方向（ｚ軸方向）に重なることが抑制されている。従って、応力が集中しにくく、外装体２０にクラックが生じにくい。その結果、優れた信頼性が実現されている。また、ラミネート型蓄電素子１が局所的に厚くなることが抑制されている。
【００２１】
本実施形態では、折り曲げ部２４，２５は、斜めに切欠かれている。すなわち、折り曲げ部２４，２５のｘ軸方向のｘ１側の端辺がｘ軸方向及びｙ軸方向のそれぞれに対して傾斜した方向に伸びるように、切欠が設けられている。このため、外装体２０の容積を大きくすることができる。換言すれば、ラミネート型蓄電素子１を小型化した場合であっても、外装体２０の容積を確保することができる。もっとも、本発明は、この構成に限定されない。図６及び図７に示されるように、折り曲げ部２４，２５のｘ軸方向のｘ１側端部に矩形状の切欠部を設けてもよい。この場合であっても同様の効果が得られる。
【００２２】
なお、本実施形態では、第１の主壁部２１と第２の主壁部２２と接続部２３とが一体化されている例について説明した。但し、本発明は、この構成に限定されない。第１及び第２の主壁部２１，２２並びに接続部２３は、別体に設けられていてもよい。
【００２３】
第１及び第２の主壁部２１，２２の少なくとも一方では、素子本体１０が設けられた領域と、素子本体１０が設けられていない領域とで略面一となっていてもよい。
【符号の説明】
【００２４】
１…ラミネート型蓄電素子
１０…素子本体
２０…外装体
２１…第１の主壁部
２２…第２の主壁部
２３…接続部
２４，２５…折り曲げ部
【図１】
2014063787.tif 000003
【図２】
2014063787.tif 000004
【図３】
2014063787.tif 000005
【図４】
2014063787.tif 000006
【図５】
2014063787.tif 000007
【図６】
2014063787.tif 000008
【図７】
2014063787.tif 000009